(57)【要約】      （修正有）【課題】三脚型の脚立、脚立、はしごに、容易に取り付けることが可能な昇降しやすい、幅広の安定した持ち運びやすい足踏み台を提供する。【解決手段】市販三脚型脚立の足踏み段１４及び補強部１５に渡り、上部幅広足踏み台１を設け、裏面側にそれぞれの係止部として側面視コの字型の切り込み部を設け、上部足踏み台の下部より支持部材５，６を垂下し、支持部材裏面側の上端に回動自在部を設け、上部足踏み台と接続する。又、支持部を補強する前部補強板を設け、上部足踏み台後方の切り込み部のすぐ後には後部補強板を設ける。支持部材の下端部が足踏み段１４に当接し、支持部材前面側の下端に回動自在部を設け、下部足踏み台と接続し、下部足踏み台はチエーンにより上部足踏み台と連結し、下部足踏み台後面部が足踏み段１４と三脚型脚立の柱１８に当接する。【選択図】図１
0003201558.tif 000002
【実用新案登録請求の範囲】
【請求項１】
市販三脚型脚立又脚立及びはしごに使用する足踏み台であつて、その足踏み段１４及び補強部１５に渡り、上部幅広足踏み台１を設け、その裏面側にそれぞれの係止部として側面視して前方のコの字型の切り込み部１６と後方のコの字型の切り込み部１７を設け、この上部幅広足踏み台１の下部より支持部材５，６を垂下に設け、支持部材５，６裏面側の上端に回動自在部を設け、上部幅広足踏み台１と接続し、又この支持部を補強する前部補強板３を設け、及び上部幅広足踏み台１後方の切り込み部１７のすぐ後には後部補強板４を有し、支持部材５，６の下端部が足踏み段１４に当接し、支持部材５，６前面側の下端に回動自在部を設け、下部幅広足踏み台２と接続し、又下部幅広足踏み台２は連結部材チエーン右１１，チエーン左１２により上部幅広足踏み台１と連結し、又下部幅広足踏み台２後面部が足踏み段１４と三脚型脚立の柱１８に当接させ使用することができ、又脚立及びはしごは前方のコの字型の切り込み部１６を使用することを特徴とする幅広２段式足踏み台。
【考案の詳細な説明】
【技術分野】
【０００１】      本考案は三脚型脚立、脚立およびはしごに装着する足踏み台に関する。
【背景技術】
【０００２】  庭に植え込まれている庭木は、毎年又１年、２年ごとに整枝・剪定し、庭の景観の維持が行なわれているのが一般的ある。
各家庭では、狭い場所に植え込まれている庭木が多い、そのため市販三脚型の脚立を使用して整枝・剪定を行なうことが多い。又高い場所での作業もある（３ｍ〜４ｍ）これは１例である。たとえば松の整枝・剪定など長時間かかるものである。作業者は植木職人、アルバイト、高年齢者など広くの人が従事している。
特に高齢者とつては、市販三脚型の脚立、及び、はしごは、足踏み段が細いため不安定である。また、高い所の場所での各種作業は、足や腰など負担がかかる。
作業者が疲れると、一般的に判断力に問題が生じるものである。
【先行技術文献】
【特許文献】
【０００３】
【特許文献１】特開２００１−２９５５７３
【考案の概要】
【考案が解決しようとする課題】
【０００４】  市販三脚型脚立、脚立、はしごは足踏み段が細いため不安定である。作業者は、足や腰など疲れやすい問題点があつた。【０００５】  昇降しやすい、幅広の安全、安定した足踏み台、かつ、持ち運びやすく、及び作業者に負担の少ない環境を提供することを技術課題とした。
【課題を解決するための手段】
【０００６】  本考案の幅広の安定した足踏み台を提供し昇降のしやすい又持ち運びやすく、折り畳みが出来る、上部幅広足踏み台１と下部幅広足踏み台２を備え、チエーン右１１、チエーン左１２、肩かけベルト１３を備え、２段で使用することを特徴する。
【考案の効果】
【０００７】  本考案は、上部幅広足踏み台１裏面側の前方のコの字型の切り込み部１６、後方のコの字型の切り込み部１７、２カ所の切り込み部は、市販三脚型脚立の、足踏み段１４、足踏み段の補強部１５に確実に嵌合するものであり、本考案の上部幅広足踏み台１を足踏み段１４、足踏み段補強部１５に掛け、すぐ下の足踏み段１４および脚立の柱１８に当接させ２段で使用する。容易に製作が可能であり、装着が簡単、作業者に登りやすく、疲れの少ない幅広の安全な作業台を提供する。又、折り畳みが出来、肩かけベルト１３を設け持ち運びやすい。業者が疲れなければ、良い仕事ができ、健康年齢も高くなることを確信する。
【図面の簡単な説明】
【０００８】
【図１】市販用の三脚型の脚立に本考案の幅広２段式足踏み台１９を装着した状態を示す斜視図である。
【図２】本考案の正面図である。
【図３】本考案の背面図である。
【図４】本考案の側面図である。
【図５】本考案の折り畳んだときの側面図である。
【図６】市販用の脚立に本考案の幅広２段式足踏み台１９を装着した写真の参考図である。
【図７】市販用の三脚型の脚立に幅広２段式足踏み台１９を装着し、剪定をしている写真の参考図である。
【実施例】
【０００９】  図１は、市販用の三脚型の脚立に本考案の幅広２段式足踏み台１９を装着した状態を示す斜視図である。上部幅広足踏み台１を足踏み段１４、補強部１５に掛け、すぐ下の足踏み段１４に支持部材５，６の下面部が当接し、下部幅広足踏み台２後面部が脚立の柱１８及び足踏み段１４に当接し各足踏み段１４、補強部１５で使用可能である。足踏み段１４及び補強部１５に本考案の上部幅広足踏み台１の裏面側に係止部として設けた前方のコの字型の切り込み部１６及び後方のコの字型の切り込み部１７ともに篏合することにより安定性の向上をさせた。脚立の柱１８、足踏み段１４に本考案の下部幅広足ふみ台２の後面部が当接することにより安定性が良くなる。【００１０】  図２は本考案の正面図である。上部幅広足踏み台１は脚立の柱１８と脚立の柱１８の間に填まるように作成する、前部補強板３は、支持部材５，６の回動時のストツパ役もはたすものである。支持部材右５前面下端部に兆番１個８を取り付け固定する。支持部材左６前面下端部に兆番１個１０を取り付け固定する。下部幅広足踏み台２と支持部材５，６の回動が可能。チエーン右１１とチエーン左１２は下部幅広足踏み台２にかかる荷重を上部幅広足踏み台１に伝えるものである。又、回動のストパーも兼ね及び上部に肩かけベルト１３（素材ナイロン等でベルト状にしたもの）長さを自由に出来、両端をチエーン右１１、チエーン左１２に回動自由フツクを用いて連結させたものである。【００１１】  図３は、本考案の背面図である。後部補強板４は、市販三脚型の脚立の、脚立足踏み段の補強部１５に嵌合したときの補強板にもなる。支持部材右５裏面上端部に兆番１個７を取り付け固定する。支持部材左裏面上端部に６兆番１個９を取り付け固定する。兆番７，９を上部幅広足踏み台１と固定する。上部幅広足踏み台１と支持部材５，６の前後の回動が可能である。【００１２】  図４本考案の側面図である。上部幅広足踏み台１に側面視して側面下部前部に、コの字型切り込み部１６を作成する、この切り込み部は市販用三脚、はしご、脚立、の足踏み段１４に篏合する。又、上部幅広足踏み台１側面下部後方に、コの字型切り込み部１７は後方斜めに作成する。市販用三脚型の足踏み段補強部１５と篏合する。支持部材５，６の下面部はすぐ下の足踏み段１４に当接する。又、下部幅広足踏み台２の後面部は脚立の柱１８、足踏み段１４に当接する。チエーン右１１，チエーン左１２で上部幅広足踏み台１と平行になるように下部幅広足踏み台２を連結し、チエーン右１１，チエーン左１２の両端部をフツク及びボルト等で固定する。【００１３】  図５本考案を折り畳んだ時の側面図である。狭い場所でも収納が可能である。
肩かけベルト１３は、肩などに掛けることにより、両手が使えるようになる。【００１４】  図６は、脚立に本考案の幅広２段式足踏み台１９を組み付けたときの写真の参考図である。【００１５】  図７本考案の幅広２段式足踏み台１９を使用し作業している図である。
【産業上の利用可能性】
【００１６】    市販用の三脚の脚立、脚立、はしごに本考案品を装着して使用する。
【符号の説明】１上部幅広足踏み台        １１チエーン右
２下部幅広足踏み台        １２チエーン左
３前部補強板              １３肩かけベルト
４後部補強板              １４脚立の、足踏み段
５支持部材右              １５脚立の、足踏み段の補強部
６支持部材左              １６前方のコの字型
７支持部材右上兆番        １７後方のコの字型
８支持部材右下兆番        １８脚立の柱
９支持部材左上兆番        １９幅広２段式足踏み台
１０支持部材左下兆番
【図１】
0003201558.tif 000003
【図２】
0003201558.tif 000004
【図３】
0003201558.tif 000005
【図４】
0003201558.tif 000006
【図５】
0003201558.tif 000007
【図６】
0003201558.tif 000008
【図７】
0003201558.tif 000009